(57)【要約】      （修正有）【課題】蓋および挿入管の取り付け、取り外しがしやすい液体用圧送容器蓋を提供する。【解決手段】液体を収容する、ステンレス製もしくはプラスチック製の容器の上面に着脱可能な蓋本体１４と、容器１１内部に収容した液体を圧送するための挿入管１７からなる蓋であって、蓋本体１４は円板形状を呈し、蓋本体１４の上面に挿入管１７が貫通し得る大きさの筒状突起を形成し、筒状突起の上部に環状の蓋フランジ部１４Ａを備え、挿入管１７は筒形状となっており、環状の挿入管フランジ部１７Ａを備え、蓋フランジ部１４Ａおよび挿入管フランジ部１７Ａは、クランプ継手１８を介し互いに連結が可能であるように構成した。【選択図】図１
0003188129.tif 000002
【実用新案登録請求の範囲】
【請求項１】
液体を収容するステンレス製もしくはプラスチック製の容器の上面に着脱可能な蓋本体と、容器内部に収容した液体を圧送するための挿入管からなる蓋であって、挿入管は筒形状となっており、環状の挿入管フランジ部を備え、蓋本体は円板形状を呈し、蓋本体の上面に挿入管が貫通し得る大きさの筒状突起を形成し、筒状突起の上部に環状の蓋フランジ部を備え、蓋フランジ部および挿入管フランジ部は、クランプ継手を介し互いに連結が可能であることを特徴とする液体用圧送容器蓋。
【考案の詳細な説明】
【技術分野】
【０００１】本考案は液体用圧送容器蓋に関する。
【背景技術】
【０００２】従来から薬液等を貯蔵する容器としてステンレス製やプラスチック製のものが知られており、このような容器は、容器を密閉するための蓋と、液体を外に圧送するための挿入管を備えている。この種のものとしては、例えば図３で示すようなものがある。【０００３】すなわち、容器１はステンレス鋼材もしくはプラスチックを用いて形成され、流体を収容できる袋状になっており、上方に円形の開口部１Ａを備えている。開口部１Ａの周囲には環状の平坦面を形成した容器フランジ部１Ｂを備え、容器フランジ部１Ｂにはボルト２が上方向に複数備えられている。【０００４】蓋本体４は円板形状を呈し、ボルト２に対応した上下方向に貫通した取り付け穴が開いており、下面には平坦面を形成した蓋フランジ部４Ａを備えている。【０００５】容器フランジ部１Ｂおよび蓋フランジ部４Ａにて、蓋パッキン３を挟み込むと同時に、ボルト２を蓋本体４の取り付け穴に通し、蓋本体４の上からボルト２およびナット５を締結することで、開口部１Ａから流体が漏れ出さないように密閉され、蓋本体４と容器１が連結された状態になっている。【０００６】蓋本体４の上面には筒状突起を形成した圧入口４Ｃが備えられており、筒内部の空洞は蓋本体４の下面まで貫通している。【０００７】蓋本体４には、蓋本体４を上下に貫通する筒形状の挿入管７が一体に形成され、筒の下部は容器１の最下部に位置するように、筒の中間位置には屈折部分が形成されている。【０００８】したがって、圧入口４Ｃからガスを圧入することで、容器１の中に収容された液体が挿入管７を通り、容器の外に圧送される構造になっている。【０００９】この種の容器は内部の保守や点検を行うために、蓋を取り外すことも多く、蓋の取り外し、取り付け作業のしやすさも求められる。
【考案の概要】
【考案が解決しようとする課題】
【００１０】しかしながら前記構造のものでは、蓋本体４と挿入管７が一体となっており、容器が大型になるほど蓋本体４と挿入管７の重量が重くなり、作業者が挿入管７を容器から取り外すことが困難となっていた。【００１１】本考案は前記の従来技術が有する問題点を解決しようとするものであって、蓋および挿入管の取り付け、取り外しがしやすい液体用圧送容器蓋を提供しようとするものである。
【課題を解決するための手段】
【００１２】前記目的を達成するために、本考案に係わる液体用圧送容器蓋は、液体を収容するステンレス製もしくはプラスチック製の容器の上面に着脱可能な蓋本体と、容器内部に収容した液体を圧送するための挿入管からなる蓋であって、挿入管は筒形状となっており、環状の挿入管フランジ部を備え、蓋本体は円板形状を呈し、蓋本体の上面に挿入管が貫通し得る大きさの筒状突起を形成し、筒状突起の上部に環状の蓋フランジ部を備え、蓋フランジ部および挿入管フランジ部は、クランプ継手を介し互いに連結が可能であることを特徴としている。
【考案の効果】
【００１３】本考案によれば、蓋および挿入管の取り付け、取り外しがしやすい液体用圧送容器蓋を得ることができる。
【図面の簡単な説明】
【００１４】
【図１】本考案に係わる圧送容器蓋を備えた容器および挿入管の分解斜視図である。
【図２】本考案に係わる圧送容器蓋を備えた容器、蓋本体、挿入管が連結された状態の正面断面図である。
【図３】従来構造の圧送容器蓋を備えた容器および挿入管の分解斜視図である。
【考案を実施するための形態】
【００１５】以下、本考案の具体的な実施例について図面に基づいて説明する。
【実施例】
【００１６】本考案に係わる圧送容器蓋を備えた実施例は図１に示すように、蓋本体１４と挿入管１７が分離可能に構成された圧送容器蓋である。【００１７】図１、図２に示すように、容器１１はステンレス鋼材もしくはプラスチックを用いて形成され、流体を収容できる袋状になっており、上方に円形の開口部１１Ａを備えている。開口部１１Ａの周囲には環状の平坦面を形成した容器フランジ部１１Ｂを備え、容器フランジ部１１Ｂにはボルト１２が上方向に複数備えられている。【００１８】蓋本体１４は円板形状を呈し、ボルト１２に対応した上下方向に貫通した取り付け穴が開いており、下面には平坦面を形成した蓋フランジ部１４Ａを備えている。【００１９】容器フランジ部１１Ｂおよび蓋フランジ部１４Ａにて、蓋パッキン１３を挟み込むと同時に、ボルト１２を蓋本体１４の取り付け穴に通し、蓋本体１４の上からボルト１２およびナット１５を締結することで、開口部１１Ａから流体が漏れ出さないように密閉され、蓋本体１４と容器１１が連結された状態になっている。【００２０】蓋本体１４の上面には挿入管１７が貫通し得る大きさの筒状突起を形成し、筒内部の空洞は蓋本体１４の下面まで貫通しており、筒状突起の上部に環状の平坦面を形成した挿入フランジ部１４Ｂを備えている。【００２１】また、蓋本体１４の上面には筒状突起を形成した圧入口１４Ｃが備えられており、筒内部の空洞は蓋本体１４の下面まで貫通している。【００２２】挿入管１７は筒状に形成され、筒の下部は容器１１の最下部に位置するように、筒の中間位置には屈折部分が形成されている。筒の上部には環状の挿入管フランジ部１７Ａを備えている。【００２３】挿入フランジ部１４Ｂと挿入管フランジ部１７Ａの間に挿入管パッキン１６を挟み、クランプ継手１８によって締結することにより、挿入フランジ部１４Ｂおよび挿入管フランジ部１７Ａの締結部周囲から流体が漏れ出さないように密閉され、挿入管１７と蓋本体１４が連結された状態になっている。【００２４】図２に示すように、圧入口１４Ｃからガスを圧入することで、容器１１の中に収容された液体が挿入管１７を通り、容器の外に圧送される構造になっている。
【符号の説明】
【００２５】１、１１  容器
１Ａ、１１Ａ  開口部
１Ｂ、１１Ｂ  容器フランジ部
２、１２  ボルト
３、１３  蓋パッキン
４、１４  蓋本体
１４Ａ  蓋フランジ部
１４Ｂ  挿入フランジ部
４Ｃ、１４Ｃ  圧入口
５、１５  ナット
１６  挿入管パッキン
７、１７  挿入管
１７Ａ  挿入管フランジ部
１８  クランプ継手
【図１】
0003188129.tif 000003
【図２】
0003188129.tif 000004
【図３】
0003188129.tif 000005